(57)【要約】【課題】  メモリへの画像データの一時保管を行うテレビジョン受像機に内蔵されるＯＳＤ回路へ文字多重放送に係る文字情報およびフォントデータを転送することができるシステムを提供する。【解決手段】  ＯＳＤ用データ転送システム１は、テレビジョン信号のＶＢＩ中に伝送される文字情報を取得するデータスライサ２と、データスライサ２で取得された文字情報を蓄積する文字情報メモリ３と、文字表示用のフォントデータが格納されたフォントデータメモリ４と、テレビジョン表示画面上に文字表示画面を形成し、その文字表示画面に表示する文字データを生成するＯＳＤ回路５と、文字情報メモリ３およびフォントデータメモリ４からＯＳＤ回路５へのデータのＤＭＡ転送を相互に排他的に実行するＤＭＡコントローラ７とを有する。【選択図】  図１
2006121472.tif 000002
【特許請求の範囲】
【請求項１】
テレビジョン信号の垂直帰線期間中に伝送された文字情報を蓄積する文字情報メモリと、
文字表示用のフォントデータが格納されたフォントデータメモリと、
前記文字情報メモリおよび前記フォントデータメモリとバスラインで接続され、前記文字情報および前記フォントデータを用いて画面表示用の文字データを生成するＯＳＤ回路と
を具備し、
前記文字情報メモリから前記バスラインを経由した前記ＯＳＤ回路への前記文字情報の転送と、前記フォントデータメモリから前記バスラインを経由した前記ＯＳＤ回路への前記フォントデータの転送とを相互に排他的なＤＭＡで実行することを特徴とするＯＳＤ用データ転送システム。
【請求項２】
前記フォントデータのＤＭＡによる転送が、前記ＯＳＤ回路による画面表示の１行ごとに行われることを特徴とする請求項１に記載のＯＳＤ用データ転送システム。
【請求項３】
前記文字情報のＤＭＡによる転送が、前記ＯＳＤ回路による画面表示が終了したときに行われることを特徴とする請求項２に記載のＯＳＤ用データ転送システム。
【請求項４】
前記文字情報のＤＭＡによる転送が、前記ＯＳＤ回路による画面表示の１行ごとに行われる前記文字情報のＤＭＡによる転送の合間に行われることを特徴とする請求項２に記載のＯＳＤ用データ転送システム。
【請求項５】
前記文字情報メモリの容量が、前記ＯＳＤ回路により表示される１行分の前記文字情報を蓄積するのに必要なだけの大きさであることを特徴とする請求項４に記載のＯＳＤ用データ転送システム。
【発明の詳細な説明】
【技術分野】
【０００１】
本発明は、テレビジョン受像機に内蔵されるＯＳＤ回路に表示用データを転送するためのＯＳＤ用データ転送システムに関する。
【背景技術】
【０００２】
テレビジョン信号を利用し、主画像のほかに文字情報を多重化して伝送するものとして文字多重放送があり、日本における文字放送、欧州におけるＴｅｌｅｔｅｘｔなどが実用化されている。このような文字多重放送における文字情報は、テレビジョン信号の垂直帰線期間（ＶＢＩ）中に伝送される。
【０００３】
そこで、このような文字情報が多重化されているテレビジョン信号を受信して文字を表示するテレビジョン受信機では、ＶＢＩ中に伝送される文字情報をテレビジョン信号から取り出してメモリに蓄積しておき、その後画面走査中に画面上に表示する。このような文字情報を画面上に表示するときに用いる回路としてＯＳＤ(オンスクリーンディスプレイ)回路がある。
【０００４】
このＯＳＤ回路を用いて文字多重放送における文字情報を表示する場合、ＶＢＩ中にテレビジョン信号から取り出されてメモリに蓄積された文字情報を、メモリからＯＳＤ回路へ転送する必要がある。また、メモリに蓄積された文字情報は文字コード形式であるので、これを画面に表示するフォントに変換するためのフォントデータをＯＳＤフォントＲＯＭから転送する必要がある。
【０００５】
従来、テレビジョン受像機におけるこのようなメモリからのデータの転送を高速に行う手段として、ＤＭＡ（Ｄｉｒｅｃｔ  Ｍｅｍｏｒｙ  Ａｃｃｅｓｓ）が使用されている（例えば、特許文献１参照。）。
【０００６】
このＤＭＡにより上述の文字情報およびフォントデータの転送を行う場合、文字情報とフォントデータでＤＭＡの実行時期を分け、文字情報は受信したテレビジョン信号のＶＢＩ中にＤＭＡ転送を行い、フォントデータは画面への文字表示中にＤＭＡ転送を行う。
【０００７】
一方、テレビジョン受像機の画質を向上させる手段として、インターレース(飛び越し)走査で１本おきに走査される走査線をプログレッシブ（順次）走査の走査線に変換するＩ／Ｐ（インターレース／プログレッシブ）変換が用いられることがある。このＩ／Ｐ変換では、インターレース走査で１本おきに送られて来る走査線の画像データからその中間の走査線の画像データが生成される。すなわち、先に送られて来る走査線の画像データをラインメモリに保存しておき、このラインメモリのデータと次に送られて来る走査線の画像データからその中間の走査線で表示する補間データを生成することが行われる。
【０００８】
したがって、このようなメモリへの画像データの一時保管を行うテレビジョン受像機では、テレビジョン信号を受信してから実際に画面に映像が表示されるまでに時間遅れが生じる。これは、逆に言えば、現在の画面を表示している間に受信しているテレビジョン信号の方はＶＢＩになっていることを意味する。
【０００９】
そのため、このようなメモリへの画像データの一時保管を行うテレビジョン受像機で先に述べた文字多重放送に係る文字情報およびフォントデータのＤＭＡ転送を行おうとすると、ＯＳＤ回路による画面表示中に必要なフォントデータのＤＭＡの要求と次のＶＢＩ期間に行う文字情報をＯＳＤ回路に送るためのＤＭＡの要求が重なるという問題が発生する。
【特許文献１】特開平１０−１２６７０６号公報  （第７ページ、図３）
【発明の開示】
【発明が解決しようとする課題】
【００１０】
そこで、本発明の目的は、メモリへの画像データの一時保管を行うテレビジョン受像機に内蔵されるＯＳＤ回路へ文字多重放送に係る文字情報およびフォントデータを転送することができるＯＳＤ用データ転送システムを提供することにある。
【課題を解決するための手段】
【００１１】
本発明の一態様によれば、テレビジョン信号の垂直帰線期間中に伝送された文字情報を蓄積する文字情報メモリと、文字表示用のフォントデータが格納されたフォントデータメモリと、前記文字情報メモリおよび前記フォントデータメモリとバスラインで接続され、前記文字情報および前記フォントデータを用いて画面表示用の文字データを生成するＯＳＤ回路とを具備し、前記文字情報メモリから前記バスラインを経由した前記ＯＳＤ回路への前記文字情報の転送と、前記フォントデータメモリから前記バスラインを経由した前記ＯＳＤ回路への前記フォントデータの転送とを相互に排他的なＤＭＡで実行することを特徴とするＯＳＤ用データ転送システムが提供される。
【発明の効果】
【００１２】
本発明によれば、画面表示中のフォントデータのＤＭＡ転送をＶＢＩ中に受信した文字情報のＤＭＡ転送に優先して実行するので、メモリへの画像データの一時保管を行うテレビジョン受像機であっても、ＤＭＡが重なることなく文字情報およびフォントデータをＯＳＤ回路へ転送することができる。
【発明を実施するための最良の形態】
【００１３】
以下、本発明の実施例を図面を参照して説明する。
【実施例１】
【００１４】
図１は、本発明の第１の実施例に係るＯＳＤ用データ転送システムの構成の例を示すブロック図である。なお、本実施例のＯＳＤ用データ転送システムは、インターレース走査のテレビジョン信号を一旦メモリへ保存した上でプログレッシブ走査の信号に変換して画面表示する方式のテレビジョン受像機で用いられるものである。すなわち、図１において、入力されたインターレース走査のテレビジョン信号は、Ｉ／Ｐ変換部３００および映像出力部４００を介してプログレッシブ走査で画面表示される映像信号として出力されるものとする。
【００１５】
本実施例のＯＳＤ用データ転送システム１は、テレビジョン信号のＶＢＩ中に伝送されるアナログ波形の文字情報の振幅値に応じてデジタルデータの文字情報を生成するデータスライサ２と、データスライサ２で生成された文字情報を蓄積する文字情報メモリ３と、文字表示用のフォントデータが格納されたフォントデータメモリ４と、テレビジョン表示画面上に文字表示画面を形成し、その文字表示画面に表示する文字データを生成するＯＳＤ回路５と、文字情報メモリ３およびフォントデータメモリ４からＯＳＤ回路５へのデータのＤＭＡ転送をコントロールするＤＭＡコントローラ７とを有する。
【００１６】
ここで、ＤＭＡコントローラ７へのＤＭＡ転送要求は、データスライサ２およびＯＳＤ回路５から出される。
【００１７】
このうち、データスライサ２は、文字情報メモリ３への総ての文字情報の蓄積が終わると、文字情報メモリ３からＯＳＤ回路５へ文字情報を転送するためのＤＭＡ転送要求をＤＭＡコントローラ７へ出す。
【００１８】
一方、ＯＳＤ回路５は、文字情報メモリ３から転送された文字情報を内蔵のディスプレイＲＡＭ６に格納した後、このディプレイＲＡＭ６から文字情報を読み出しながら画面表示用の文字データを生成するが、このとき、画面表示の１行ごとにフォントデータメモリ４からのフォントデータの転送を要求するＤＭＡ転送要求をＤＭＡコントローラ７へ出す。
【００１９】
したがって、図２に示すように、テレビジョン表示画面６００上のＯＳＤ表示画面７００にｍ文字×ｎ行の文字データを表示する場合、ＯＳＤ回路５からはｎ回のＤＭＡ転送要求がＤＭＡコントローラ７へ出される。
【００２０】
また、ＯＳＤ回路５は、表示インターフェイス用垂直同期信号間に含まれる表示インターフェイス用水平同期信号の数をカウントする水平位置カウンタ２００のカウント値に基づいて、ＯＳＤ表示期間を算出している。そして、ＯＳＤ表示期間が終了したときにＯＳＤ表示終了信号をＤＭＡコントローラ７へ出力する。
【００２１】
ＤＭＡコントローラ７は、データスライサ２あるいはＯＳＤ回路５からＤＭＡ要求が出されると、ＣＰＵ１００へ割り込み要求を出してＣＰＵ１００の動作に強制的に割り込み、データバスを占有して、文字情報メモリ３あるいはフォントデータメモリ４からＯＳＤ回路５へデータを高速転送する。
【００２２】
ここで、ＯＳＤ画面表示期間中のＯＳＤ回路５からのＤＭＡ要求にデータスライサ２からのＤＭＡ要求が重なると、ＤＭＡコントローラ７は、ＯＳＤ回路５からのＤＭＡ要求を優先して実行し、ＯＳＤ回路５からＯＳＤ表示終了信号が出力されたときにデータスライサ２からのＤＭＡ要求に基づくＤＭＡ転送を実行する。
【００２３】
図３は、本実施例のＯＳＤ用データ転送システム１におけるＤＭＡ転送動作の例を示す波形図である。
【００２４】
テレビジョン信号のＶＢＩ中に伝送された文字情報はデータスライサ２でデジタルデータ化されて文字情報メモリに蓄積される。この文字情報は、ＯＳＤ回路５に転送され文字データに処理されてＯＳＤ表示画面７００に表示される。このとき、ＯＳＤ表示画面７００はプログレッシブ走査で表示されるテレビジョン表示画面６００上に表示されるので、その表示期間は表示インターフェイス用垂直同期信号と表示インターフェイス用水平同期信号により制御される。なお、表示インターフェイス用垂直同期信号および表示インターフェイス用水平同期信号は、受信したテレビジョン信号に含まれる垂直同期信号および水平同期信号に対してそれぞれ位相が遅れている。
【００２５】
この表示期間中に、ＯＳＤ回路５はＤＭＡコントローラ７に対して、ＯＳＤ表示画面７００に表示される１行ごとにフォントデータメモリ４からのフォントデータのＤＭＡ転送を要求する。すなわち、ＯＳＤ表示画面７００に表示される文字列がｎ行であるので、ＯＳＤ回路５は、この表示期間中にｎ回のＤＭＡ要求を出す。また、このＤＭＡ要求は、表示インターフェイス用水平同期信号に同期して出力される。
【００２６】
ＯＳＤ回路５からのＤＭＡ要求があると、ＤＭＡコントローラ７は、フォントデータメモリ４からＯＳＤ回路５へのＤＭＡ転送を実行する。
【００２７】
一方、この表示期間中に文字情報メモリ３への文字情報の蓄積が終了して、データスライサ２からのＤＭＡ要求があった場合には、ＤＭＡコントローラ７は表示期間の終了までその実行を保留する。そして、ＯＳＤ回路５からＯＳＤ表示終了信号が出力されたときに、文字情報メモリ３からＯＳＤ回路５へのＤＭＡ転送を実行する。
【００２８】
このような本実施例のＯＳＤ用データ転送システムによれば、ＯＳＤ画面表示期間中のフォントデータメモリからのフォントデータのＤＭＡ転送をＶＢＩ中に受信して文字情報メモリに蓄積した文字情報のＤＭＡ転送に優先して実行するので、Ｉ／Ｐ変換を行うテレビジョン受像機であっても、ＤＭＡが重なることなく文字情報およびフォントデータをＯＳＤ回路へ転送することができる。
【実施例２】
【００２９】
図４は、本発明の第２の実施例に係るＯＳＤ用データ転送システムの構成の例を示すブロック図である。本実施例のＯＳＤ用データ転送システム１１も、実施例１のＯＳＤ用データ転送システム１と同様、Ｉ／Ｐ変換を行うテレビジョン受像機で用いられるものであり、その基本的な構成は、図１に示した実施例１のＯＳＤ用データ転送システム１と同じである。そこで、図４において、実施例１と同一の機能を有するブロックには図１と同じ符号を付し、ここではその詳細な説明を省略する。
【００３０】
本実施例のＯＳＤ用データ転送システム１１が実施例１のＯＳＤ用データ転送システム１と異なる点は、総ての行の文字情報を蓄積する実施例１の文字情報メモリ３の代わりに１行分の文字情報が書き込まれるデータバッファ３１を有している点と、ＯＳＤ回路５１からは実施例１のＯＳＤ回路５とは異なってＯＳＤ表示終了信号が出力されない点である。
【００３１】
このような本実施例のＯＳＤ用データ転送システム１１において、データスライサ２は、ＶＢＩ中の文字情報から１行分のデータを取得するとデータバッファ１へ書き込み、ＤＭＡコントローラ７へＤＭＡ要求を出す。そしてデータバッファ１からのＤＭＡ転送が終了すると次の行の文字情報データをデータバッファ３１へ書き込む。このようにして、データバッファ１へのデータの書き込みとデータバッファ１からＯＳＤ回路５１へのＤＭＡ転送が文字情報の１行ごとに実行される。
【００３２】
また、ＯＳＤ回路５１からは、実施例１のＯＳＤ回路５と同様、ＯＳＤ表示画面の表示期間中表示文字の１行ごとに、フォントデータメモリ４からのフォントデータ転送のＤＭＡ要求をＤＭＡコントローラ７へ出す。
【００３３】
このようなデータスライサ２からのＤＭＡ要求とＯＳＤ回路５１からのＤＭＡ要求に対して、ＤＭＡコントローラ７は、実施例１と同様にＯＳＤ回路５１からのＤＭＡ要求を優先してＤＭＡを実行する。ただし、実施例１とは異なり、ＯＳＤ回路５１からの１回のＤＭＡ要求に対する処理が終了すると、直ちにデータスライサ２からのＤＭＡ要求に対する処理が行われる。
【００３４】
すなわち、文字情報１行分のフォントデータのフォントデータメモリ４からのＤＭＡ転送と、１行分の文字情報のデータバッファ３１からのＤＭＡ転送が交互に実行される。
【００３５】
図５は、本実施例のＯＳＤ用データ転送システム１１におけるＤＭＡ転送動作の例を示す波形図である。
【００３６】
本実施例のＯＳＤ用データ転送システム１１でも、ｎ行の文字データを表示する表示期間中に、表示行１行ごとのｎ回、フォントデータメモリ４からＯＳＤ回路５１へのフォントデータのＤＭＡが実行される。
【００３７】
この表示期間中にデータスライサ３１からのＤＭＡ要求があると、ＤＭＡコントローラ７は、フォントデータメモリ４からの１回のＤＭＡ転送が１回終了したときに、データバッファ３１からＯＳＤ回路５１へのＤＭＡ転送を実行する。このＤＭＡ転送が終了すると、データバッファ３１には次の行の文字情報が書き込まれる。この次の行のデータバッファ３１への書き込みが終わると、データスライサ３１は次のＤＭＡ要求をＤＭＡコントローラ７へ出す。
【００３８】
このデータスライサ３１からの次のＤＭＡ要求に対して、ＤＭＡコントローラ７は、フォントデータメモリ４からの次のＤＭＡ転送が終了したときに、データバッファ３１からＯＳＤ回路５１へのＤＭＡ転送を実行する。
【００３９】
このようにして、本実施例のＯＳＤ用データ転送システム１１では、ｎ行の文字情報がｎ回に分けてデータバッファ３１に書き込まれたときのデータバッファ３１からのｎ回のＤＭＡ転送が、フォントデータメモリ４からのｎ回のＤＭＡ転送と交互に実行される。
【００４０】
このような本実施例のＯＳＤ用データ転送システムによれば、データスライサからの文字情報が書き込まれるデータバッファの容量が文字情報の１行分であっても、ＯＳＤ画面表示期間中のフォントデータおよび文字情報のＤＭＡ転送ができるので、ＯＳＤ用データ転送システムに用いるメモリのサイズを小さくすることができる。
【００４１】
なお、上述した各実施例では、メモリへの画像データの一時保管を行うテレビジョン受像機としてＩ／Ｐ変換を行うテレビジョン受像機を例に取って本発明の構成を説明したが、本発明の実施の形態はＩ／Ｐ変換を行うテレビジョン受像機に限られるものではなく、メモリへの画像データの一時保管を行うテレビジョン受像機であれば他の方式のものであっても本発明を実施することが可能である。
【図面の簡単な説明】
【００４２】
【図１】本発明の第１の実施例に係るＯＳＤ用データ転送システムの構成の例を示すブロック図。
【図２】ＯＳＤ表示画面の例を示す図。
【図３】本発明の第１の実施例に係るＯＳＤ用データ転送システムの動作の例を示す波形図。
【図４】本発明の第２の実施例に係るＯＳＤ用データ転送システムの構成の例を示すブロック図。
【図５】本発明の第２の実施例に係るＯＳＤ用データ転送システムの動作の例を示す波形図。
【符号の説明】
【００４３】
１、１１  ＯＳＤ用データ転送システム
２  データスライサ
３  文字情報メモリ
４  フォントデータメモリ
５、５１  ＯＳＤ回路
６  ディスプレイＲＡＭ
７  ＤＭＡコントローラ
【図１】
2006121472.tif 000003
【図２】
2006121472.tif 000004
【図３】
2006121472.tif 000005
【図４】
2006121472.tif 000006
【図５】
2006121472.tif 000007